(57)【特許請求の範囲】
【請求項１】
穀類を貯留する漏斗を備えた貯米部６と下部を細く形成した筒状の洗浄タンク１を有する洗浄部７と前後方向に移動可能に設けた架台２７にのせている回収容器２８とを上側からその順に配置し、該漏斗に貯留している穀類を洗浄タンク１に供給可能に漏斗と洗浄タンク１とを連通し、前記洗浄タンク１の下端部に取り付けた取付板１５を取り付け位置における洗浄タンクの外径よりも大径で且つ平面視円状に形成し、該取付板１５の下側に円筒網筒１９を内装した円筒形状のジャケット３１をその外周が上記取付板１５の外周よりも小径でかつ着脱可能に配置し、前記回収容器２８をのせた架台２７を前側に引き出したときジャケット３１の直下方に取付板１５からジャケット３１を着脱し得る空間部を形成する穀類処理装置。
【発明の詳細な説明】
【０００１】
【産業上の利用分野】
この発明は、米などの穀類を処理する穀類処理装置に関する。
【０００２】
【従来の技術】
米の洗浄作業を終えたあと、弁を移動して閉鎖していた排出口を開放すると、洗浄タンクに貯留している洗浄済の米や炊飯用の水はジャケットに内装した円筒形状の網によって形成している通路を通って排出口から落下し、その後、下方に位置する回収容器に回収する構成である。
【０００３】
【この発明が解決しようとする課題】
しかしながら、洗浄作業に生じた汚水は網の目を通って排水する構成であるので、正常米の中に混入した小さな割れ米が網目に刺さって目詰まりを生じると、洗浄タンクに汚水が残留することがある。炊飯作業にあたって、炊飯用の清水を供給して残留している汚水と混合すると、炊き上がりのご飯に臭いや着色が発生して品質不良を生じるので、ジャケットの内部や網体を定期的に点検・清掃を行なう必要がある。しかも、この点検等のメンテナンス作業を簡単に行なうことができないと、作業能率を高めることができない。
【０００４】
【課題を解決するための手段】
この発明は、メンテナンスを容易にし得る穀類処理装置を提供するものであって、つぎのような技術的手段を講じた。すなわち、穀類を貯留する漏斗を備えた貯米部６と下部を細く形成した筒状の洗浄タンク１を有する洗浄部７と前後方向に移動可能に設けた架台２７にのせている回収容器２８とを上側からその順に配置し、該漏斗に貯留している穀類を洗浄タンク１に供給可能に漏斗と洗浄タンク１とを連通し、前記洗浄タンク１の下端部に取り付けた取付板１５を取り付け位置における洗浄タンクの外径よりも大径で且つ平面視円状に形成し、該取付板１５の下側に円筒網筒１９を内装した円筒形状のジャケット３１をその外周が上記取付板１５の外周よりも小径でかつ着脱可能に配置し、前記回収容器２８をのせた架台２７を前側に引き出したときジャケット３１の直下方に取付板１５からジャケット３１を着脱し得る空間部を形成する穀類処理装置とした。
【０００５】
【作用】
作業条件を準備してから、作業開始スイッチを入りにすると、貯米部６の漏斗に貯留している穀類（以下、米とする）は、適宜の手段によって予め設定した量を洗浄タンク１に供給される。そして、米は洗浄タンク１の中で水洗され、このとき発生した汚水は排水側に案内されるが、米はこのタンク内に収容された状態である。この洗浄作業を終え、ジャケット３１の下端部の排米口を開放すると、炊飯用の清水と洗浄済の米はジャケット３１の内部を通って落下し下方に位置する回収容器２８に収容される。なお、米の浸漬作業を行なうときは、洗浄タンク内又は回収容器２８、あるいは両方で行なう。
【０００６】
このような作業を終え、ジャケット部のメンテナンスを行なうときは、例えば回収容器２８として釜を載せている場合、架台２７を前側に大きく引き出すと、ジャケット３１の直下方は大きな空間部を形成できる。作業者は、平面視円状に形成した取付板１５の下側に設けているジャケット３１を取り外すと、このジャケットは空間部に取り出すことができるので、ジャケットの内部の清掃や内装した円筒網体１９を外部に取り出しての清掃を容易に行い得る。
【０００７】
【発明の効果】
この発明は、この発明は、穀類を貯留する漏斗を備えた貯米部６と下部を細く形成した筒状の洗浄タンク１を有する洗浄部７と前後方向に移動可能に設けた架台２７にのせている回収容器２８とを上側からその順に配置し、該漏斗に貯留している穀類を洗浄タンク１に供給可能に漏斗と洗浄タンク１とを連通し、前記洗浄タンク１の下端部に取り付けた取付板１５を取り付け位置における洗浄タンクの外径よりも大径で且つ平面視円状に形成し、該取付板１５の下側に円筒網筒１９を内装した円筒形状のジャケット３１をその外周が上記取付板１５の外周よりも小径でかつ着脱可能に配置し、前記回収容器２８をのせた架台２７を前側に引き出したときジャケット３１の直下方に取付板１５からジャケット３１を着脱し得る空間部を形成する穀類処理装置としたものであるから、ジャケットの内部の清掃が容易になり、さらに円筒網体１９をジャケット３１から簡単に外部に取り外すことができて目詰まり状態や変形や清掃作業を容易に行い得るので、炊飯作業能率を向上することができる。
加えて、円筒形状のジャケット３１をその外周が上記取付板１５の外周よりも小径に構成するものであるから、取付板１５が鍔状を呈して下方側からの蒸気を上方に拡開状に飛散させることとなり、洗浄タンク外壁への付着をなくし得て、蒸気を介しての塵埃類による汚損をなくして清潔性を維持する。
穀類を貯留する漏斗を備えた貯米部６と下部を細く形成した筒状の洗浄タンク１を有する洗浄部７と前後方向に移動可能に設けた架台２７にのせている回収容器２８とを上側からその順に配置し、該漏斗に貯留している穀類を洗浄タンク１に供給可能に漏斗と洗浄タンク１とを連通し、前記洗浄タンク１の下端部に取り付けた取付板１５を取り付け位置における洗浄タンクの外径よりも大径で且つ平面視円状に形成し、該取付板１５の下側に円筒網体１９を内装した円筒形状のジャケット３１を着脱可能に配置し、前記回収容器２８をのせた架台２７を前側に引き出したときジャケット３１の直下方に取付板１５からジャケット３１を着し得る空間部を形成する穀類処理装置としたものであるから、ジャケットの内部の清掃が容易になり、さらに、円筒網体１９をジャケット３１から簡単に外部に取り出すことができて目詰まり状態や変形や清掃作業を容易に行い得るので、炊飯作業能率を向上することができる。
【０００８】
【発明の実施の形態】
以下、この発明の実施の形態を図面に基づいて説明する。まず、その構成について説明すると、５は穀類処理装置の一形態である穀類洗浄装置であって、上下方向において上側から順に貯米部６と洗浄部７とを配置している。
【０００９】
そして、該貯米部６は正面視において前後・左右及び上壁で箱体８に形成し縦及び横の機枠を一体に枠組したフレ−ム９に着脱自在に取り付けている。なお、該箱体８の内部には下端部を細く形成した漏斗を設け、箱体８の上壁に設けた蓋１０を開けることにより穀類（以下この実施例では米とする）をこの漏斗に供給し得る構成である。１１はスイッチや表示具等を有し箱体８の前壁に設けた操作パネルである。
【００１０】
洗浄部７の容器である洗浄タンク１は上面を開放するとともに下端部を細く形成した中空のタンクであって、前記箱体８の下面に着脱自在に取り付けた下壁に上面を着脱自在に取り付けている。なお、該洗浄タンク１は回転するごとに米を供給し得る定量供給回転ロ−ラ（図示せず）を介して漏斗に連通する構成としている。そして、洗浄タンク１の前面にこの洗浄タンク内の点検や清掃用の蓋１２を開閉自在に設けている。
【００１１】
また、洗浄タンク１の中心部には上下方向に軸芯を有し外面に棒体等で形成した撹拌体１３を取り付けモ−タや伝動機構により回転可能に構成した回転筒１４を設けている。１５は洗浄タンク１の先細下端部に取り付けた円形状の取付板である。そして、該取付板１５の下面に上ジャケット１６と下ジャケット１７からなるジャケット３１を設けており、そして、円筒形状の上ジャケット１６を取付板１５の下面に着脱自在に取り付け、該上ジャケット１６の下面開口部と中央部に円状の孔を有する円筒形状の下ジャケット１７の上面が密着するように掛け金１８により下ジャケット１７を上ジャケット１６に着脱自在に取り付けている。上記ジャケット３１のうち、上ジャケット１６の外周は上記取付板１５の外周よりも小径に形成されている。
【００１２】
１９は米が通り抜けしない程度の大きさの網目を多数する円筒網体であって、上端を洗浄タンク１の下端部に近接し上・下ジャケット１６，１７の中空部に設けている。前記回転筒１５の内部には上下方向に軸芯を有し下端部を回転筒１４の下端よりも下方に延出した弁上下動軸２０を設けている。なお、該弁上下動軸２０の下端部にチョウナット２１により円錐状の弁３を着脱自在に設けている。そして、該弁上下動軸２０が上方の所定位置に移動すると円筒網体１９と連通する排出口２を閉じ、下方の所定位置に移動すると排出口２を開放する構成である。なお、該弁上下動軸２０の作動、回転筒１４の回転、洗浄タンク１における給・排水、洗浄タンク１に米を供給する供給する供給量等は、図示していないが入力操作に関連してマイクロコンピュ−タが自動制御する構成としている。
【００１３】
２２は前記下ジャケット１７より広幅で且つこの下面にねじ２３で着脱自在に設けた取付板である。そして、穀類洗浄装置５の正面視において、下ジャケット１７の外方に位置する取付板２２の上面であって前後方向の中間部に軸芯を横方向に有する支軸２４を取り付けている。また、同正面視において、支軸２４に上端部を枢着し着脱可能で且つ前後方向に回動可能に棒状の水切り体４を設けている。そして、該水切り体４は下端を排出口２よりも下方に位置すると共にこの中間部を内側（弁３の下方）に向けて＜状に折り曲げている。また、折り曲げ部から下端部に至る所の水切り本体２５の上面に中間部をほぼ９０度又は鋭角に折り曲げた水切り体４を一体に取り付けている。実施例では水切り本体２５と水切り体４を別個に設けたが水切り体４を広幅又は大径にして単品で形成してもよい。また、両水切り体４を分割するのでなく、連続体であってもよい。
【００１４】
前記フレ−ム９の下端の両端部に前後方向に長い脚部２６を設けている。架台２７は回収容器（バケツや釜等）２８をのせ且つこの脚部２６に前後方向に移動可能に設けていると共に前端部に上下方向に長い把手２９を取り付けている。図７〜図１１は第２実施例を示すものであって、水切り体４は穀類洗浄装置５の正面視において弾力性のある素材でＵ字状に形成して上端部を下ジャケット１７の左右の側壁で且つ前後方向の中間部に着脱可能なねじ３０で固定している。なお、この実施例の水切り体４も図１１の断面図に示すように広幅の面を有している。また、水切り体全体を弾性体で形成するのでなく一部でもよい。
【００１５】
つぎに、その作用について説明する。まず、米の洗浄を終え汚水を排水した後、米と新たに供給した炊飯用の水を洗浄タンク１から排出する場合には、移動手段により弁上下動軸２０を下方の所定位置まで移動する。すると、米と水は洗浄タンク１から円筒網１９の通路及び排出口２を通って落下する。この落下時に、米と水は円錐状の弁３により傘状に落下し架台２７にのせている回収容器２８で回収される。
【００１６】
そして、水は落下の途中で水切り体４に当たって割れ目を生じるので傘状の内側は外側とが連通し大気圧と同じになる。従って、回収容器内の水位が上昇しても傘状内部の空気は圧縮されないので、米と水は傘状内に行き場ができ水面に落下したときに容器外に飛び散らず回収される。また、水切り体４を広幅に設けているので割れ目が大きくなり水切り効果を高めることができる。そして、水切り体４は前後方向、すなわち架台２７の移動方向に回動するように設けているので回収容器２８の取り出しを阻害しないで洗浄タンク１と回収容器２８を接近させることができ、穀類洗浄装置５を低くできまたは深さの大きい回収容器を使用でき作業能率を向上し得る。
【００１７】
そして、米と水の排出作業を終えると、弁上下動軸２０は所定位置まで上方に移動するので、これに関連して弁３は排出口３を閉じる。つづいて、空の回収容器２８を架台２７にのせ把手２９を押し込んで回収容器２８を排出口２の下方に位置し次の作業を行う。この時、水切り体４は回収容器２８に当たるが後側に回動するので何等支障を生じない。そして、その後水切り体４は図２に示すように元位置に復帰し回収容器２８にのぞむ。
【００１８】
第２実施例の水切り体４はねじ３０を操作することにより簡単に着脱できる。また、水切り体４を弾性体で形成しているので回収容器２８の設置、取り出しがスム−スであり位置ずれを生じない。
【図面の簡単な説明】
【図１】穀類洗浄装置の正面図。
【図２】穀類洗浄装置の側面図。
【図３】穀類洗浄装置の平面図。
【図４】洗浄タンクの正断面図。
【図５】洗浄タンクの側断面図。
【図６】水切り体の断面図。
【図７】別実施例の穀類洗浄装置の正面図。
【図８】別実施例の穀類洗浄装置の側面図。
【図９】別実施例の洗浄タンクの正断面図。
【図１０】別実施例の洗浄タンクの側断面図。
【図１１】別実施例の水切り体の断面図。
【符号の説明】
１        洗浄タンク
６        貯米部
７        洗浄部
１５    取付板
１９    円筒網体
２７    架台
２８    回収容器
３１    ジャケット
【図１】
0003546807.tif 000002
【図２】
0003546807.tif 000003
【図３】
0003546807.tif 000004
【図４】
0003546807.tif 000005
【図５】
0003546807.tif 000006
【図６】
0003546807.tif 000007
【図７】
0003546807.tif 000008
【図８】
0003546807.tif 000009
【図９】
0003546807.tif 000010
【図１０】
0003546807.tif 000011
【図１１】
0003546807.tif 000012